【手続補正書】
【提出日】平成25年8月23日(2013.8.23)
【手続補正１】
【補正対象書類名】明細書
【補正対象項目名】０００６
【補正方法】変更
【補正の内容】
【０００６】
上述した課題を解決し、目的を達成するために、本発明は、警察への通報を要請するための第１非常ボタン及び異常の発生を通報するための第２非常ボタンが接続される警備端末と警備サーバとが通信を行う通報システムであって、前記警備端末は、前記第１非常ボタンが押下された場合、前記第１非常ボタンが押下された旨を示す非常信号を送信し、前記第２非常ボタンが押下された場合、前記第２非常ボタンが押下された旨を示す非常信号を送信する信号送信手段を有し、前記警備サーバは、前記信号送信手段が送信した前記非常信号を受信する信号受信手段と、前記信号受信手段が受信した前記非常信号を用いて、前記第１非常ボタンが押下されたか又は前記第２非常ボタンが押下されたかを判断する第１判断手段と、前記第１非常ボタンが押下されたと前記第１判断手段が判断した場合、警察への通報を承認する操作入力が所定時間内にあったか否かを判断する第２判断手段と、前記第２判断手段の判断結果が肯定的である場合、警察への通報を行う通報手段と、を有することを特徴とする。
【手続補正２】
【補正対象書類名】明細書
【補正対象項目名】０００７
【補正方法】変更
【補正の内容】
【０００７】
また、本発明は、警察への通報を要請するための第１非常ボタン及び異常の発生を通報するための第２非常ボタンが接続される警備端末と警備サーバとが通信を行う通報システムであって、前記警備端末は、前記第２非常ボタンが押下された場合であっても警察への通報を行うことを示す警戒モードの設定又は解除を切り替えるモード切替手段と、前記第１非常ボタンが押下された場合、前記第１非常ボタンが押下された旨を示す非常信号を送信し、前記第２非常ボタンが押下された場合、前記第２非常ボタンが押下された旨を示す非常信号を送信する信号送信手段と、を有し、前記警備サーバは、前記信号送信手段が送信した前記非常信号を受信する信号受信手段と、前記信号受信手段が受信した前記非常信号を用いて、前記第１非常ボタンが押下されたか又は前記第２非常ボタンが押下されたかを判断する第１判断手段と、前記第２非常ボタンが押下されたと前記第１判断手段が判断した場合、前記モード切替手段により前記警戒モードが設定されているか否かを判断する第２判断手段と、前記第１非常ボタンが押下されたと前記第１判断手段が判断した場合又は前記第２非常ボタンが押下されたと前記第１判断手段が判断した場合且つ前記警戒モードが設定されていると前記第２判断手段が判断した場合、警察への通報を行う通報手段と、を有することを特徴とする。
【手続補正３】
【補正対象書類名】明細書
【補正対象項目名】０００８
【補正方法】変更
【補正の内容】
【０００８】
また、本発明は、警察への通報を要請するための第１非常ボタン及び異常の発生を通報するための第２非常ボタンが接続される警備端末と通信を行う警備サーバであって、前記第１非常ボタンが押下された旨を示す非常信号及び前記第２非常ボタンが押下された旨を示す非常信号のうち少なくとも一つを前記警備端末から受信する信号受信手段と、前記信号受信手段が受信した前記非常信号を用いて、前記第１非常ボタンが押下されたか又は前記第２非常ボタンが押下されたかを判断する第１判断手段と、前記第１非常ボタンが押下されたと前記第１判断手段が判断した場合、警察への通報を承認する操作入力が所定時間内にあったか否かを判断する第２判断手段と、前記第２判断手段の判断結果が肯定的である場合、警察への通報を行う通報手段と、を備えることを特徴とする。
【手続補正４】
【補正対象書類名】明細書
【補正対象項目名】０００９
【補正方法】変更
【補正の内容】
【０００９】
また、本発明は、警察への通報を要請するための第１非常ボタン及び異常の発生を通報するための第２非常ボタンが接続される警備端末と通信を行う警備サーバであって、前記第１非常ボタンが押下された旨を示す非常信号及び前記第２非常ボタンが押下された旨を示す非常信号のうち少なくとも一つを前記警備端末から受信する信号受信手段と、前記信号受信手段が受信した前記非常信号を用いて、前記第１非常ボタンが押下されたか又は前記第２非常ボタンが押下されたかを判断する第１判断手段と、前記第２非常ボタンが押下されたと前記第１判断手段が判断した場合、前記第２非常ボタンが押下された場合であっても警察への通報を行うことを示す警戒モードが設定されているか否かを判断する第２判断手段と、前記第１非常ボタンが押下されたと前記第１判断手段が判断した場合又は前記警戒モードが設定されていると前記第２判断手段が判断した場合、警察への通報を行う通報手段と、を備えることを特徴とする。
【手続補正５】
【補正対象書類名】特許請求の範囲
【補正対象項目名】全文
【補正方法】変更
【補正の内容】
【特許請求の範囲】
【請求項１】
警察への通報を要請するための第１非常ボタン及び異常の発生を通報するための第２非常ボタンが接続される警備端末と警備サーバとが通信を行う通報システムであって、
前記警備端末は、
前記第１非常ボタンが押下された場合、前記第１非常ボタンが押下された旨を示す非常信号を送信し、前記第２非常ボタンが押下された場合、前記第２非常ボタンが押下された旨を示す非常信号を送信する信号送信手段を有し、
前記警備サーバは、
前記信号送信手段が送信した前記非常信号を受信する信号受信手段と、
前記信号受信手段が受信した前記非常信号を用いて、前記第１非常ボタンが押下されたか又は前記第２非常ボタンが押下されたかを判断する第１判断手段と、
前記第１非常ボタンが押下されたと前記第１判断手段が判断した場合、警察への通報を承認する操作入力が所定時間内にあったか否かを判断する第２判断手段と、
前記第２判断手段の判断結果が肯定的である場合、警察への通報を行う通報手段と、を有する
ことを特徴とする通報システム。
【請求項２】
警察への通報を要請するための第１非常ボタン及び異常の発生を通報するための第２非常ボタンが接続される警備端末と警備サーバとが通信を行う通報システムであって、
前記警備端末は、
前記第２非常ボタンが押下された場合であっても警察への通報を行うことを示す警戒モードの設定又は解除を切り替えるモード切替手段と、
前記第１非常ボタンが押下された場合、前記第１非常ボタンが押下された旨を示す非常信号を送信し、前記第２非常ボタンが押下された場合、前記第２非常ボタンが押下された旨を示す非常信号を送信する信号送信手段と、を有し、
前記警備サーバは、
前記信号送信手段が送信した前記非常信号を受信する信号受信手段と、
前記信号受信手段が受信した前記非常信号を用いて、前記第１非常ボタンが押下されたか又は前記第２非常ボタンが押下されたかを判断する第１判断手段と、
前記第２非常ボタンが押下されたと前記第１判断手段が判断した場合、前記モード切替手段により前記警戒モードが設定されているか否かを判断する第２判断手段と、
前記第１非常ボタンが押下されたと前記第１判断手段が判断した場合又は前記第２非常ボタンが押下されたと前記第１判断手段が判断した場合且つ前記警戒モードが設定されていると前記第２判断手段が判断した場合、警察への通報を行う通報手段と、を有する
ことを特徴とする通報システム。
【請求項３】
前記警備端末は、前記モード切替手段を有し、
前記信号送信手段は、前記第１非常ボタンが押下された場合、前記第１非常ボタンが押下された旨を示す非常信号を送信し、前記第２非常ボタンが押下された場合且つ前記警戒モードが解除されている場合、前記第２非常ボタンが押下された旨を示す非常信号を送信し、前記第２非常ボタンが押下された場合且つ前記警戒モードが設定されている場合、前記第２非常ボタンが押下された旨及び前記警戒モードが設定されている旨を示す非常信号を送信し、
前記第２判断手段は、前記第２非常ボタンが押下されたと前記第１判断手段が判断した場合、前記信号受信手段が受信した前記非常信号を用いて、前記警戒モードが設定されているか否かを判断する
ことを特徴とする請求項２に記載の通報システム。
【請求項４】
警察への通報を要請するための第１非常ボタン及び異常の発生を通報するための第２非常ボタンが接続される警備端末と通信を行う警備サーバであって、
前記第１非常ボタンが押下された旨を示す非常信号及び前記第２非常ボタンが押下された旨を示す非常信号のうち少なくとも一つを前記警備端末から受信する信号受信手段と、
前記信号受信手段が受信した前記非常信号を用いて、前記第１非常ボタンが押下されたか又は前記第２非常ボタンが押下されたかを判断する第１判断手段と、
前記第１非常ボタンが押下されたと前記第１判断手段が判断した場合、警察への通報を承認する操作入力が所定時間内にあったか否かを判断する第２判断手段と、
前記第２判断手段の判断結果が肯定的である場合、警察への通報を行う通報手段と、を備える
ことを特徴とする警備サーバ。
【請求項５】
警察への通報を要請するための第１非常ボタン及び異常の発生を通報するための第２非常ボタンが接続される警備端末と通信を行う警備サーバであって、
前記第１非常ボタンが押下された旨を示す非常信号及び前記第２非常ボタンが押下された旨を示す非常信号のうち少なくとも一つを前記警備端末から受信する信号受信手段と、
前記信号受信手段が受信した前記非常信号を用いて、前記第１非常ボタンが押下されたか又は前記第２非常ボタンが押下されたかを判断する第１判断手段と、
前記第２非常ボタンが押下されたと前記第１判断手段が判断した場合、前記第２非常ボタンが押下された場合であっても警察への通報を行うことを示す警戒モードが設定されているか否かを判断する第２判断手段と、
前記第１非常ボタンが押下されたと前記第１判断手段が判断した場合又は前記警戒モードが設定されていると前記第２判断手段が判断した場合、警察への通報を行う通報手段と、を備える
ことを特徴とする警備サーバ。
【請求項６】
前記警備端末が、警戒モードの設定又は解除を切り替えるモード切替手段を有しており、
前記信号受信手段は、前記第１非常ボタンが押下された旨を示す非常信号、前記第２非常ボタンが押下され且つ前記警戒モードが解除されている旨を示す非常信号及び前記第２非常ボタンが押下され且つ前記警戒モードが設定されている旨を示す非常信号のうち少なくとも一つを前記警備端末から受信し、
前記第２判断手段は、前記第２非常ボタンが押下されたと前記第１判断手段が判断した場合、前記信号受信手段が受信した前記非常信号を用いて、前記警戒モードが設定されているか否かを判断する
ことを特徴とする請求項５に記載の警備サーバ。
【請求項７】
前記警戒モードが設定されていないと前記第２判断手段が判断した場合、表示手段にメッセージを表示させる表示制御手段を更に備える
ことを特徴とする請求項５又は６に記載の警備サーバ。
【請求項８】
前記非常信号は、前記警備端末が設置された警備先を識別する警備先識別情報を更に示し、
前記警備先識別情報と、前記警備先に関連する他の警備先に関する関連警備先条件とを少なくとも示す警備先情報を記憶する第１記憶手段と、
警察への通報が行われた警備先の前記警備先識別情報を少なくとも示す発報履歴情報を記憶する第２記憶手段と、
前記警戒モードが設定されていないと前記第２判断手段が判断した場合、前記信号受信手段が受信した前記非常信号によって示される前記警備先識別情報を示す前記警備先情報の前記関連警備先条件及び所定のアラート条件を用いて、前記発報履歴情報を検索する検索手段とを更に備え、
前記表示制御手段は、前記検索手段の検索の結果に基づいて、前記表示手段に注意喚起のためのアラートメッセージを表示させる
ことを特徴とする請求項７に記載の警備サーバ。
【請求項９】
前記非常信号は、前記警備端末が設置された警備先を識別する警備先識別情報を更に示し、
第１の特定の前記警備先識別情報を記憶する第３記憶手段と、
前記第２非常ボタンが押下されたと前記第１判断手段が判断した場合、前記第３記憶手段に記憶された第１の特定の前記警備先識別情報の中に、前記信号受信手段が受信した前記非常信号によって示される前記警備先識別情報と一致するものがあるか否かを判断する第３判断手段とを更に備え、
前記通報手段は、第１の特定の前記警備先識別情報の中に、前記非常信号によって示される前記警備先識別情報と一致するものがあると前記第３判断手段が判断した場合、警察への通報を行う
ことを特徴とする請求項５乃至８のいずれか一項に記載の警備サーバ。
【請求項１０】
前記非常信号は、前記警備端末が設置された警備先を識別する警備先識別情報を更に示し、
第２の特定の前記警備先識別情報を記憶する第４記憶手段と、
前記第１非常ボタンが押下されたと前記第１判断手段が判断した場合、前記第４記憶手段に記憶された第２の特定の前記警備先識別情報の中に、前記信号受信手段が受信した前記非常信号によって示される前記警備先識別情報と一致するものがあるか否かを判断する第４判断手段とを更に備え、
前記通報手段は、第２の特定の前記警備先識別情報の中に、前記非常信号によって示される前記警備先識別情報と一致するものがあると判断した場合、警察への通報を行わない
ことを特徴とする請求項８又は９に記載の警備サーバ。